(57)【特許請求の範囲】
【請求項１】
液透過性のトップシートと液不透過性のバックシートと、これら両シート間に介在された液保持性の吸収体とを有し、背側部の左右両側縁部それぞれに使用時締結用のファスニングテープを有する使い捨ておむつにおいて、
上記ファスニングテープは、おむつに固定される固定部と、該固定部に連設された締結部とからなり、
上記締結部は、止着部を有し、該止着部の周縁は、上記固定部の最も近くに位置し且つファスニングテープをその幅方向に横切る基端縁と、該固定部から最も遠くに位置し且つファスニングテープをその幅方向に横切る先端縁と、該締結部の左右両側縁とほぼ一致するように形成された左右の側縁とにより構成されており、
上記止着部は、上記基端縁と上記先端縁との間に最大幅部を有しており、
上記最大幅部の幅Ｘが２５〜５５ｍｍであり、上記基端縁の幅Ｙが２０〜４５ｍｍであり、該幅Ｘと該幅Ｙとの比Ｘ／Ｙが１．１０〜１．４０であり、
上記固定部は、上記止着部に比してより幅広になされていることを特徴とする使い捨ておむつ。
【請求項２】
上記最大幅部の幅は、上記締結部の先端の幅よりも大きいことを特徴とする請求項１記載の使い捨ておむつ。
【請求項３】
上記締結部は、その先端側においては、先端に向けて先細になるように左右両側にアールが付けられており、また、その基端側においては、上記固定部にむけて幅広となるようにアールが付けられていることを特徴とする請求項１又は２記載の使い捨ておむつ。
【請求項４】
腹側部における上記バックシートの表面上に、おむつの使用時において上記ファスニングテープを貼着するターゲットテープが配されており、該ターゲットテープと該ファスニングテープとの剥離力が５０〜１０００ｇ／２５ｍｍであることを特徴とする請求項１〜３の何れかに記載の使い捨ておむつ。
【請求項５】
左右両側のファスニングテープ間に伸縮性部材が配されて、ウエストバンド部が設けられていることを特徴とする請求項１〜４の何れかに記載の使い捨ておむつ。
【請求項６】
上記ファスニングテープは、不織布からなるテープ基材と、該テープ基材上に固着された機械的ファスナーの凸部材とからなり、該凸部材により上記止着部が形成されており、上記ターゲットテープは、複数のループ部を有する機械的ファスナーの凹部材からなることを特徴とする請求項１〜５の何れかに記載の使い捨ておむつ。
【請求項７】
上記ファスニングテープは、それぞれ互いの鏡像であり、一方のファスニングテープの複数個をそれらの上記固定部の左右両側縁が連接されるように配置したとき、これらが形成する輪郭の一部が他方のファスニングテープの上記締結部の輪郭と合致することを特徴とする請求項１〜６の何れかに記載の使い捨ておむつ。
【請求項８】
上記ファスニングテープが、伸縮性を有することを特徴とする請求項１〜７の何れかに記載の使い捨ておむつ。
【発明の詳細な説明】
【０００１】
【発明の属する技術分野】
本発明は、ファスニングテープを有する展開型の使い捨ておむつに関し、更に詳細には、操作性及びフィット性に優れた使い捨ておむつに関する。
【０００２】
【従来の技術及び発明が解決しようとする課題】
従来、使い捨ておむつとしては、液透過性のトップシートと液不透過性のバックシートと、これら両シート間に介在された液保持性の吸収体とを有し、背側部の左右両側縁部それぞれに使用時締結用のファスニングテープを有するものが広く用いられている。
このような使い捨ておむつは、おむつを装着する際、背側部に設けられたファスニングテープを腹側部のターゲットテープ等に締結するという装着システムを採用したものである。
【０００３】
ここで、このようなシステムを採用してなる展開型の使い捨ておむつにおいては、使用者がベビーの場合は装着時に静止しているということが少ないこと等から、ファスニングテープの付け剥がしを容易にすること、即ち、操作性の向上が求められている。また、使用時において、使い捨ておむつを一定の場所に固定する機能も要求されている。
このような要求を満足させるべく、種々提案がなされている。
例えば、特開昭６２−２３１６５９号公報においては、特定形状を有するファスニングテープを具備する使い捨ておむつが提案されており、これにより通常の使い捨ておむつと同等の着心地および操作性を維持しながらフィット性を改善している。
また、特公平７−５７２３４号公報および特開平７−２３６６５５号公報においては、ファスニングテープの先端部の幅と基端部の幅とが異なる形状を有しながら、基材を全く無駄にすることなく製造できる形状のファスニングテープを有する使い捨ておむつが提案されている。
【０００４】
しかし、これらの提案にかかる使い捨ておむつにおいても、未だ要求されているほどに高い操作性及びフィット性を有するものではなく、また、おむつ用のファスニングテープには、着用者の肌の傷つけ防止性能も要求されるが、この点においても十分ではなかった。このため、より高い操作性及びフィット性を有し、肌の傷つけ防止性能にも優れた使い捨ておむつの開発が要望されているのが現状である。
【０００５】
従って、本発明の目的は、着用者の肌の傷つけ防止性能に優れ、操作性及びフィット性に優れた、展開型の使い捨ておむつを提案することである。
【０００６】
【課題を解決するための手段】
本発明者らは、上記課題を解決すべく鋭意検討した結果、特定の形状を有するファスニングテープを有する使い捨ておむつが上記目的を達成しうることを知見した。
【０００７】
本発明は、上記知見に基づいてなされたもので、液透過性のトップシートと液不透過性のバックシートと、これら両シート間に介在された液保持性の吸収体とを有し、背側部の左右両側縁部それぞれに使用時締結用のファスニングテープを有する使い捨ておむつにおいて、上記ファスニングテープは、おむつに固定される固定部と、該固定部に連設された締結部とからなり、上記締結部は、止着部を有し、該止着部の周縁は、上記固定部の最も近くに位置し且つファスニングテープをその幅方向に横切る基端縁と、該固定部から最も遠くに位置し且つファスニングテープをその幅方向に横切る先端縁と、該締結部の左右両側縁とほぼ一致するように形成された左右の側縁とにより構成されており、上記止着部は、上記基端縁と上記先端縁との間に最大幅部を有しており、上記最大幅部の幅Ｘが２５〜５５ｍｍであり、上記基端縁の幅Ｙが２０〜４５ｍｍであり、該幅Ｘと該幅Ｙとの比Ｘ／Ｙが１．１０〜１．４０であり、上記固定部は、上記止着部に比してより幅広になされていることを特徴とする使い捨ておむつを提供するものである。
【０００８】
また、本発明は、上記最大幅部の幅は、上記締結部の先端の幅よりも大きい上記使い捨ておむつを提供するものである。
また、本発明は、上記締結部は、その先端側においては、先端に向けて先細になるように左右両側にアールが付けられており、また、基端側においては、上記固定部にむけて幅広となるようにアールが付けられている上記使い捨ておむつを提供するものである。
また、本発明は、腹側部における上記バックシートの表面上に、おむつの使用時において上記ファスニングテープを貼着するターゲットテープが配されており、該ターゲットテープと該ファスニングテープとの剥離力が５０〜１０００ｇ／２５ｍｍである上記使い捨ておむつを提供するものである。
【０００９】
また、本発明は、左右両側のファスニングテープ間に伸縮性部材が配されて、ウエストバンド部が設けられている上記使い捨ておむつを提供するものである。
また、本発明は、上記ファスニングテープは、不織布からなるテープ基材と、該テープ基材上に固着された機械的ファスナーの凸部材とからなり、該凸部材により上記止着部が形成されており、上記ターゲットテープは、複数のループ部を有する機械的ファスナーの凹部材からなる上記使い捨ておむつを提供するものである。
【００１０】
また、本発明は、上記ファスニングテープは、それぞれ互いの鏡像であり、一方のファスニングテープの複数個をそれらの固定部の左右両側縁が連接されるように配置したとき、これらが形成する輪郭の一部が他方のファスニングテープの締結部の輪郭と合致する上記使い捨ておむつを提供するものである。
また、本発明は、上記ファスニングテープが、伸縮性を有する上記使い捨ておむつを提供するものである。
【００１１】
【発明の実施の形態】
以下、本発明の使い捨ておむつについて図面を参照して更に詳述する。
ここで、図１は、本発明の１形態としての使い捨ておむつの内面（トップシート側）を示す展開図であり、図２は、図１に示すファスニングテープの拡大平面図である。図３は、図１に示す使い捨ておむつにおけるファスニングテープの製造方法の概要を示す概略図である。
【００１２】
図１に示す本形態の使い捨ておむつ１は、液透過性のトップシート２と液不透過性のバックシート３と、これら両シート２，３間に介在された液保持性の吸収体４とを有し、背側部Ｂの左右両側縁部Ｂ１，Ｂ２それぞれに使用時止着用のファスニングテープ１０ａ，１０ｂを有する。
【００１３】
上記トップシート２上には、防漏シート８ａをおむつの外方側に固定して形成された、おむつの内方側に弾性部材８ｂが配された自由端８ｃを有する立体ガード８が設けられている。
また、おむつのウエスト部５及びレッグ部６には、それぞれウエスト部弾性部材７ａ及びレッグ部弾性部材７ｂが配されており、それぞれ、ウエストギャザー及びレッグギャザーが形成されている。
このような構成は、従来の使い捨ておむつと同様であり、各部材も公知の材料を特に制限なく用いて形成することができる。
【００１４】
而して、本形態の使い捨ておむつ１は、上記ファスニングテープ１０ａ，１０ｂが、おむつに固定される固定部１１と、該固定部１１に連設された締結部１２とからなり、上記締結部１２は、止着部１４を有し、該止着部１４の周縁は、上記固定部１１の最も近くに位置し且つファスニングテープ１０ａ，１０ｂをその幅方向に横切る基端縁１２ｂと、該固定部１１から最も遠くに位置し且つファスニングテープ１０ａ，１０ｂをその幅方向に横切る先端縁１２ａと、該締結部１２の左右両側縁とほぼ一致するように形成された左右の側縁１２ｄ、１２ｄと、により構成されており、上記止着部１４は、上記基端縁１２ｂと上記先端縁１２ａとの間に最大幅部１２ｃを有している。上記最大幅部１２ｃの幅Ｘは、２５〜５５ｍｍ、好ましくは３０〜４５ｍｍであり、上記基端縁１２ｂの幅Ｙは、２０〜４５ｍｍ、好ましくは２５〜３５ｍｍであり、該幅Ｘと該幅Ｙとの比Ｘ／Ｙは、１．１０〜１．４０、好ましくは１．２０〜１．３０である。
【００１５】
上記幅Ｘが２５ｍｍ未満であると、テープの固定力が十分でなくなり、使用時においてテープが剥がれたり、着用者の誤操作によって剥がれてしまったりする。また、５５ｍｍを超えると、テープの付け剥がしに過度の力が必要となり、操作性の低下を招く。
また、上記幅Ｙが２０ｍｍ未満であると、ファスニングテープの固定部が固定されている背側部の側縁部と腹側部の側縁部との重なり部分がずれたり、めくれたりし易くなり、４５ｍｍを超えると、着用者が活動して、該重なり部にずれやめくれが生じた場合に、テープが直接足の付け根に接触して、着用者の肌を傷つける危険がある。
また、Ｘ／Ｙが１．１０未満であると、上記重なり部分がめくれるなどした際に着用者の肌を傷つける可能性があり、１．４０を超えると、上記最大幅部１２ａにかかる力が上記基端縁１２ｂに伝わる際、該基端縁１２ｂでの負荷が大きくなり、上記重なり部においてずれやめくれが生じ易くなる。
また、ファスニングテープ間に伸縮性を有するウエストバンド部を具備する場合、テープに均一に力をかけた方が、ウエスト部の伸縮性がお腹回り全体に効くため、この点からもＸ／Ｙ＜１．４０が望ましい。
【００１６】
更に詳述すると、上記先端縁１２ａ及び上記基端縁１２ｂは、それぞれ、おむつの側縁（おむつの長手方向）と並行に形成されている。
上記締結部１２のおむつ横方向に対する長さは、３〜６cmであるのが好ましく、４〜５cmであるのが更に好ましい。
また、上記最大幅部１２ｃは、止着部１４における最も幅の広い部位を意味し、幅とはおむつの長手方向（背側部の側縁）と平行な方向の長さを意味する。そして、該最大幅部１２ｃの幅は、上記先端縁１２ａの幅よりも大きく、また、上記締結部１２の先端の幅よりも大きい。
また、上記締結部１２の先端から基端にかけての形状は、図２に示すように、先端部及び基端部共に湾曲しており、なだらかに、締結部１２の基端部側の方が幅広となるようになされている。更に、先端側においては、締結部１２の先端に向けて先細になるように左右両側にアールが付けられており、また、基端側においても上記固定部１１にむけて幅広となるようにアールが付けられている。また、固定部１１は、ほぼ長方形状であり、上記止着部１４に比してより幅広になされている。
【００１７】
また、図１に示すように、腹側部Ａにおける上記バックシート３の表面上に、おむつの使用時において上記ファスニングテープ１０ａ，１０ｂを止着するターゲットテープ２０が配されており、該ターゲットテープ２０と該ファスニングテープ１０ａ，１０ｂとの剥離力が好ましくは５０〜１０００ｇ／２５ｍｍ、更に好ましくは１００〜５００ｇ／２５ｍｍである。
上記剥離力が、１００ｇ／２５ｍｍ未満であると、おむつ着用中にテープが外れる危険性があり、１０００ｇ／２５ｍｍを超えると、テープの引き剥がしが困難となり、操作性が低下する。
ここで、上記剥離力は、下記の如くして測定されるものである。
＜剥離力測定法＞
おむつからターゲットテープを（２５×２０mmよりも大きく）切り出し、この上にファスニングテープを幅２５mm×２０mmだけ止着させ、２５mm幅１kgのゴムローラーを１往復させて圧着させた後、下記の条件で通常の手法に従って剥離テストを行い、平均荷重を求め、剥離力（ｇ／２５mm）とする。測定は５つのサンプルについて行い、その平均値をもって表す。ただし、ファスニングテープの幅が２５mm未満の場合は、可能な限り広い幅で測定を行い、後に２５mm幅の剥離力に換算して求める。
0004014268.tif 000002
【００１８】
上記ファスニングテープ１０ａ，１０ｂは、それぞれ、不織布からなるテープ基材１３と、該テープ基材１３上に固着されて設けられた機械的ファスナーの凸部材からなる止着部１４とからなる。そして、該凸部材からなる上記止着部１４の上記側縁１２ｄは、それぞれ、上記締結部１２の左右両側縁と重なっており、これにより該側縁１２ｄが該締結部の側縁とほぼ一致している。
また、上記ターゲットテープ２０は、複数のループ部（図示せず）を有する機械的ファスナーの凹部材からなる。
上記テープ基材としては、通常、使い捨ておむつなどにおいて用いられる伸縮性を有する不織布などを特に制限なく用いることができる。尚、本形態においては、伸縮性を有する不織布を用いており、これにより、本形態における上記ファスニングテープ１０ａ，１０ｂは、伸縮性を有する。
また、上記凸部材としては、基材シート上に錨型のオス型係合部材が多数配されたものや、基材シート上に釣型のオス型係合部材が多数配されたもの等を挙げることができる。また、「マジックテープ」（登録商標、クラレ社製）、「クイックロン」（登録商標、ＹＫＫ社製）、「マジクロス」（登録商標、カネボウベルタッチ社製）、「ＣＳ−２００」（商品名、３Ｍ社製）等の市販品を用いることもできる。
また、上記凹部材としては、「クラコット」（商品名、クラレ社製）等の市販品の他、通常、上記凸部材と係合させる目的で用いられる不織布などを特に制限なく用いることができる。
【００１９】
上記ファスニングテープ１０ａ，１０ｂは、それぞれ互いの鏡像であり、一方のファスニングテープ１０ａの複数個（２個）をそれらの固定部１１の左右両側縁が連接されるように配置したとき、これらが形成する輪郭の一部、即ち、上記締結部１２により形成される輪郭が、他方のファスニングテープ１０ｂの締結部１２の輪郭と合致する。
即ち、本発明の使い捨ておむつにおける上記ファスニングテープ１０ａ，１０ｂは、図３に示すように、１枚のシートから材料の無駄なく製造できるような形態とするために、上記締結部１２の形状を、上述の如き形態となしたものであり、本形態においては、上述の如く、一方及び他方共に同形状となされている。
【００２０】
また、左右両側のファスニングテープ間に伸縮性部材９ａが複数本配されて、ウエストバンド部９が設けられている。伸縮性部材９ａは単数でも幅広く設けられていればよい。該伸縮性部材９ａは、それぞれ、ファスニングテープの固定部１１に連結されており、該伸縮性部材９ａの伸縮力が、直接ファスニングテープ１０ａ，１０ｂに伝わるようになされている。
【００２１】
本形態の使い捨ておむつは、通常の展開型の使い捨ておむつと同様にして使用することができる。
そして、本形態の使い捨ておむつにおいては、ファスニングテープ１０ａ，１０ｂが上述の如く形成されているので、付け剥がしが容易で操作性に優れ、しかも、装着時においては、十分に固定するので、フィット性にも優れたものである。
また、最大幅部１２ｃの巾が上記先端縁１２ａの幅よりも大きいので、テープがつまみやすく操作性が向上する。更に、該最大幅部１２ｃの幅が、上記締結部１２の先端の幅よりも大きい場合にはより操作性が向上する。
また、本形態の如く、先端及び基端側にそれぞれＲが付けられている場合には、肌の傷つきがより防止されるとともに、先端に近い領域では、巾広く形成することが可能となり、止着性もより確保できる。
また、上記ファスニングテープ１０ａ，１０ｂ間に上記ウエストバンド部９を具備する場合には、上記ファスニングテープ１０ａ，１０ｂの固定部１１及び締結部１２の基端部側が幅広になされているため、ウエストバンド部９の伸縮性による応力を損なうことなく、使用者のウエスト回り全体に力を及ぼし、フィット性を高めるのに有利である。
さらに、上記ファスニングテープ１０ａ、１０ｂが互いの鏡像であり、一方のファスニングテープ１０ａの複数個をそれらの固定部の左右両側縁が連設されるよう配置した時、これらが形成する輪郭の一部が他方のファスニングテープ１０ｂの締結部１２の輪郭と合致する形状とした場合には、テープ基材の無駄が全くなくファスニングテープを製造することができる。
また、テープ基材が伸縮性を有する場合には、お腹回りおよび足回りのフィット性が一層向上する。
【００２２】
また、本形態の使い捨ておむつは、下記の如くして製造されたファスニングテープを用いて、通常の使い捨ておむつと同様にして製造することができる。
上記ファスニングテープは、図３に示すように、テープ基材となるテープの状の不織布１３’上に該不織布１３’よりも幅の狭い止着材１４’を接着する。次いで、上記の止着部のサイズを満足し、且つ連接された一方のファスニングテープ１０ａの複数個の締結部１２により形成される輪郭がファスニングテープ１０ｂの締結部１２の輪郭と合致するような形状に裁断して、材料の無駄なく、ファスニングテープを得ることができる。
【００２３】
本形態の使い捨ておむつは、上述の形態に制限されるものではなく本発明の趣旨を逸脱しない範囲で種々変更可能である。
例えば、上記ファスニングテープは、それぞれ、異なる形状とすることもできる。
【００２４】
【実施例】
以下、実施例及び比較例により本発明の使い捨ておむつについて更に具体的に説明するが、本発明はこれらに限定されるものではない。
【００２５】
〔実施例１〕
Ｘ及びＹを〔表１〕に示すサイズとし、図１及び２に示す形態の使い捨ておむつを制作した。
得られた使い捨ておむつについて、下記の各評価項目について下記の如くして評価したその結果を〔表１〕に示す。
つかみやすさ；おむつを着脱する際、ファスニングテープのつまみ部をつかむ時の操作性を、下記の如く試験して、下記の評価基準に従って評価した。
試験法；モニター１０名におむつを着脱してもらい、ファスニングテープのつかみやすさを５段階（つかみやすい、ややつかみやすい、どちらともいえない、ややつかみにくい、つかみにくい）で評価をしてもらった。
◎；「つかみやすい」「ややつかみやすい」と答えた人が８名以上。
○；「つかみやすい」「ややつかみやすい」と答えた人が５〜７名。
×；「つかみやすい」「ややつかみやすい」と答えた人が４名以下。
止着性；ファスニングテープがターゲットテープから外れないこと、即ち、使用中における止着性が良好なことを、下記の如く試験して、下記の評価基準に従って評価した。
試験法；モニター１０名におむつを装着してもらい、使用中のテープ外れ有無を調査。
○；使用中テープが外れた人が０名。
×；使用中テープが外れた人が１名以上。
フィット性；おむつと使用者との密着性を、下記の如く試験して、下記の評価基準に従って評価した。
試験法；モニター１０名におむつを装着してもらい、初期から１時間後迄におむつがずれ落ちた距離を測定。
○；ずれ落ちの平均距離が３０mm以下
×；ずれ落ちの平均距離が３０mmより長い
安全性；ファスニングテープが使用者の腹部を圧迫しないこと、およびファニングテープが使用者の肌を傷つけないことを、下記の如く試験して、下記の評価基準に従って評価した。
試験法；モニター１０名におむつを装着してもらい、ファスニングテープ付近での肌への傷つき有無を観察。
◎；肌の傷つきがあった人が０名。
○；肌の傷つきがあった人が１〜２名。
×；肌の傷つきがあった人が３名以上。
【００２６】
〔実施例２〕
ファスニングテープを、Ｘ及びＹが〔表１〕に示すサイズである、図４に示す形態のファスニングテープ、即ち、全体的に角をＲにしていない以外図２に示すファスニングテープに準じた形状のファスニングテープを用いた以外は、実施例１と同様にして使い捨ておむつを制作した。得られた使い捨ておむつについて、実施例１と同様にして評価したその結果を〔表１〕に示す。
〔実施例３〕
ファスニングテープを、Ｘ及びＹが〔表１〕に示すサイズである、図５に示す形態のファスニングテープ、即ち、止着部１４の先端が最大幅部であり、該止着部１４の形状がほぼ台形状であるファスニングテープとした以外は、実施例１と同様にして使い捨ておむつを制作した。得られた使い捨ておむつについて、実施例１と同様にして評価したその結果を〔表１〕に示す。尚、実施例３は、止着部１４の最大幅部が先端縁に位置する点で、本発明の参考例である。
【００２７】
〔比較例１〕
ファスニングテープを、Ｘ及びＹが〔表１〕に示すサイズである、図６に示す形態のファスニングテープとした以外は、実施例１と同様にして使い捨ておむつを制作した。得られた使い捨ておむつについて、実施例１と同様にして評価したその結果を〔表１〕に示す。
〔比較例２〕
ファスニングテープを、Ｘ及びＹが〔表１〕に示すサイズである、図７に示す形態のファスニングテープとした以外は、実施例１と同様にして使い捨ておむつを制作した。得られた使い捨ておむつについて、実施例１と同様にして評価したその結果を〔表１〕に示す。
〔比較例３〕
ファスニングテープを、Ｘ及びＹが〔表１〕に示すサイズである、図８に示す形態のファスニングテープとした以外は、実施例１と同様にして使い捨ておむつを制作した。得られた使い捨ておむつについて、実施例１と同様にして評価したその結果を〔表１〕に示す。
〔比較例４〕
ファスニングテープを、Ｘ及びＹが〔表１〕に示すサイズである、図９に示す形態のファスニングテープとした以外は、実施例１と同様にして使い捨ておむつを制作した。得られた使い捨ておむつについて、実施例１と同様にして評価したその結果を〔表１〕に示す。
〔比較例５〕
ファスニングテープを、Ｘ及びＹが〔表１〕に示すサイズである、図１０に示す形態のファスニングテープとした以外は、実施例１と同様にして使い捨ておむつを制作した。得られた使い捨ておむつについて、実施例１と同様にして評価したその結果を〔表１〕に示す。
〔比較例６〕
ファスニングテープを、Ｘ及びＹが〔表１〕に示すサイズである、図１１に示す形態のファスニングテープとした以外は、実施例１と同様にして使い捨ておむつを制作した。得られた使い捨ておむつについて、実施例１と同様にして評価したその結果を〔表１〕に示す。
【００２８】
【表１】
0004014268.tif 000003
【００２９】
【発明の効果】
本発明の使い捨ておむつは、着用者の肌の傷つけ防止性能に優れ、操作性及びフィット性に優れた、展開型の使い捨ておむつである。
【図面の簡単な説明】
【図１】図１は、本発明の１形態としての使い捨ておむつの内面（トップシート側）を示す展開図である。
【図２】図２は、図１に示すファスニングテープの拡大平面図である。
【図３】図３は、図１に示す使い捨ておむつにおけるファスニングテープの製造方法の概要を示す概略図である。
【図４】図４は、本発明の使い捨ておむつに用いられるファスニングテープの他の形態を示す平面図である。
【図５】図５は、本発明の使い捨ておむつに用いられるファスニングテープの他の形態を示す平面図である。
【図６】図６は、比較例としてのファスニングテープを示す平面図である。
【図７】図７は、比較例としてのファスニングテープを示す平面図である。
【図８】図８は、比較例としてのファスニングテープを示す平面図である。
【図９】図９は、比較例としてのファスニングテープを示す平面図である。
【図１０】図１０は、比較例としてのファスニングテープを示す平面図である。
【図１１】図１１は、比較例としてのファスニングテープを示す平面図である。
【符号の説明】
１    使い捨ておむつ
２    トップシート
３    バックシート
４    吸収体
５    ウエスト部
６    レッグ部
７ａ  ウエスト部弾性部材
７ｂ  レッグ部弾性部材
８    立体ガード
９    ウエストバンド部
９ａ  伸縮性部材
１０ａ  ファスニングテープ（一方）
１０ｂ  ファスニングテープ（他方）
１１    固定部
１２    締結部
１２ｃ  最大幅部
１２ｂ  基端縁
１２ａ  先端縁
１３    テープ基材
１４    止着部
２０    ターゲットテープ
Ａ    腹側部
Ｂ    背側部
【図１】
0004014268.tif 000004
【図２】
0004014268.tif 000005
【図３】
0004014268.tif 000006
【図４】
0004014268.tif 000007
【図５】
0004014268.tif 000008
【図６】
0004014268.tif 000009
【図７】
0004014268.tif 000010
【図８】
0004014268.tif 000011
【図９】
0004014268.tif 000012
【図１０】
0004014268.tif 000013
【図１１】
0004014268.tif 000014